(57)【要約】【課題】表示部の裏側に照度センサを配置されてなる電子機器において、適切な輝度調整を行うことができる電子機器を提供する。【解決手段】電子機器は、表示部と、照度センサと、輝度制御部と、操作判定部と、を備える。照度センサは、表示部の表示面の背面側に配置される。輝度制御部は、照度センサによって検出された光に関する情報に基づいて、表示部の輝度を制御する。操作判定部は、照度センサが検出する光に関する情報の確度を判定する。輝度制御部は、操作判定部によって光に関する情報の確度が所定値以上であると判定された場合に、表示部の輝度の制御をする。輝度制御部は、操作判定部によって光に関する情報の確度が所定値未満であると判定された場合に、表示部の輝度の制御を抑制する。【選択図】図５
2019113815.tif 000002
【特許請求の範囲】
【請求項１】
表示部と、
前記表示部の表示面の背面側に配置された光検出部と、
前記光検出部によって検出された光に関する情報に基づいて、前記表示部の輝度を制御する輝度制御部と、
前記光検出部が検出する光に関する情報の確度を判定する判定部と、を備え、
前記輝度制御部は、前記判定部によって前記光に関する情報の確度が所定値以上であると判定された場合に、前記表示部の輝度の制御をし、
前記輝度制御部は、前記判定部によって前記光に関する情報の確度が所定値未満であると判定された場合に、前記表示部の輝度の制御を抑制する、
ことを特徴とする電子機器。
【請求項２】
前記表示部の表面側に配置されたタッチパネル部をさらに備え、
前記判定部は、前記タッチパネル部がユーザに操作されているか否かを判定し、
前記輝度制御部は、前記判定部によって、前記タッチパネル部がユーザに操作されていないと判定された場合に、前記確度が所定値以上であると判定し、前記表示部の輝度の制御をし、
前記輝度制御部は、前記判定部によって、前記タッチパネル部がユーザに操作されていると判定された場合に、前記確度が所定値未満であると判定され、前記表示部の輝度の制御を抑制する、
ことを特徴とする請求項１に記載の電子機器。
【請求項３】
前記表示部は、液晶表示装置を含み、
前記判定部は、前記液晶表示装置の液晶シャッタが透過状態になっているか否かを判定し、
前記輝度制御部は、前記判定部によって、前記液晶シャッタが透過状態になっていると判定された場合に、前記確度が所定値以上であると判定し、前記表示部の輝度の制御をし、
前記輝度制御部は、前記判定部によって、前記液晶シャッタが透過状態になっていないと判定された場合に、前記確度が所定値未満であると判定され、前記表示部の輝度の制御を抑制する、
ことを特徴とする請求項１に記載の電子機器。
【請求項４】
前記表示部は、前記液晶表示装置の背面側に配置されたＯＬＥＤを含み、
前記光検出部は前記ＯＬＥＤの背面側に配置され、
前記輝度制御部は、前記判定部によって、前記液晶シャッタが透過状態になっていると判定された場合に、前記確度が所定値以上であると判定し、前記ＯＬＥＤの輝度の制御をし、
前記輝度制御部は、前記判定部によって、前記液晶シャッタが透過状態になっていないと判定された場合に、前記確度が所定値未満であると判定され、前記ＯＬＥＤの輝度の制御を抑制する、
ことを特徴とする請求項３に記載の電子機器。
【請求項５】
前記判定部は、前記タッチパネル部のうち、前記光検出部が配置されている領域に対応する影響領域をユーザがタッチしたか否か判定し、
前記輝度制御部は、前記判定部によって、前記影響領域をユーザがタッチしていないと判定された場合に、前記確度が所定値以上であると判定され、前記輝度制御部による前記表示部の輝度の制御をし、
前記輝度制御部は、前記判定部によって、前記影響領域をユーザがタッチしたと判定された場合に、前記確度が所定値未満であると判定され、前記輝度制御部による前記表示部の輝度の制御を抑制する、
ことを特徴とする請求項２に記載の電子機器。
【請求項６】
前記輝度制御部は、前記判定部によって前記確度が所定値以上であると判定された場合に、前記表示部の輝度を、前記タッチパネル部の操作を検出した直前の輝度のままで維持することを特徴とする請求項５に記載の電子機器。
【請求項７】
制御対象の前記表示部は、ＯＬＥＤを含むことを特徴とする請求項１乃至６の何れか１項に記載の電子機器。
【請求項８】
制御対象の前記表示部は、バックライトを含むことを特徴とする請求項１乃至７のいずれか一項に記載の電子機器。
【請求項９】
前記輝度制御部は、前記光検出部が検出した情報のうち、前記表示部自身が発する光量の影響による変動を補正した情報に基づいて、前記表示部の輝度の制御を行うことを特徴とする請求項１乃至８の何れか一項に記載の電子機器。
【請求項１０】
表示部と、
前記表示部の表示面の背面側に配置された光検出部と、
前記光検出部によって検出された光に関する情報に基づいて、前記表示部の輝度を制御する輝度制御部と、
前記光検出部が検出する光に関する情報の確度を判定する判定部と、を備える電子機器が行う輝度制御方法であって、
前記判定部によって前記光に関する情報の確度が所定値以上であると判定された場合に、前記表示部の輝度の制御をし、
前記判定部によって前記光に関する情報の確度が所定値未満であると判定された場合に、前記表示部の輝度の制御を抑制する、
することを特徴とする輝度制御方法。
【請求項１１】
表示部と、
前記表示部の表示面の背面側に配置された光検出部と、
前記光検出部によって検出された光に関する情報に基づいて、前記表示部の輝度を制御する輝度制御部と、
前記光検出部が検出する光に関する情報の確度を判定する判定部と、を有する電子機器を制御するコンピュータに、
前記輝度制御部は、前記判定部によって前記光に関する情報の確度が所定値以上であると判定された場合に、前記表示部の輝度の制御をする機能と、
前記輝度制御部は、前記判定部によって前記光に関する情報の確度が所定値未満であると判定された場合に、前記表示部の輝度の制御を抑制する機能と、を実現させることを特徴とするプログラム。
【発明の詳細な説明】
【技術分野】
【０００１】
本発明は、電子機器、輝度制御方法及びプログラムに関する。
【背景技術】
【０００２】
従来、表示部の光照射面の裏側に照度センサを置き、その照度センサが検出した外光量によって、表示部の光量調整を行なう技術が知られている（特許文献１参照）。
【先行技術文献】
【特許文献】
【０００３】
【特許文献１】米国特許出願公開第２０１４／０１３２１５８号明細書
【発明の概要】
【発明が解決しようとする課題】
【０００４】
しかしながら、上記のような構成において、表示部が何らかの障害物によって一時的に覆われると、外光に変化が無いにもかかわらず、照度センサへ入射する外光量は一時的に低減する。このときの照度センサは正確に外光を検出することができず、表示部の輝度調整を適切に出来ない場合があった。
【０００５】
本発明は、このような状況に鑑みてなされたものであり、表示部の裏側に照度センサを配置されてなる電子機器において、適切な輝度調整を行うことができる電子機器を提供することを目的とする。
【課題を解決するための手段】
【０００６】
上記目的を達成するため、本発明の一態様の電子機器は、
表示部と、
前記表示部の表示面の背面側に配置された光検出部と、
前記光検出部によって検出された光に関する情報に基づいて、前記表示部の輝度を制御する輝度制御部と、
前記光検出部が検出する光に関する情報の確度を判定する判定部と、を備え、
前記輝度制御部は、前記判定部によって前記光に関する情報の確度が所定値以上であると判定された場合に、前記表示部の輝度の制御をし、
前記輝度制御部は、前記判定部によって前記光に関する情報の確度が所定値未満であると判定された場合に、前記表示部の輝度の制御を抑制する、
ことを特徴とする。
【発明の効果】
【０００７】
本発明によれば、表示部の裏側に照度センサを配置されてなる電子機器において、適切な輝度調整を行うことができる電子機器を提供することができる。
【図面の簡単な説明】
【０００８】
【図１】本発明の第１実施形態である電子機器の概略図である。
【図２】電子機器のハードウェア構成を示すブロック図である。
【図３Ａ】電子機器の表示領域における照度センサの設置形態を示す模式図である。
【図３Ｂ】図３ＡにおけるＸ−Ｘ’断面を示す模式図である。
【図４】図２の電子機器の機能的構成のうち、第１輝度制御処理を実行するための機能的構成を示す機能ブロック図である。
【図５】図４の機能的構成を有する図１の電子機器が実行する第１輝度制御処理の流れを説明するフローチャートである。
【図６】図２の電子機器の機能的構成のうち、第２輝度制御処理を実行するための機能的構成を示す機能ブロック図である。
【図７】図６の機能的構成を有する図１の電子機器が実行する第２輝度制御処理の流れを説明するフローチャートである。
【発明を実施するための形態】
【０００９】
本発明の電子機器は、表示部と、照度センサと、輝度制御部と、を備えている。照度センサは、表示部の表示面の背面側に配置されている。輝度制御部は、照度センサによって検出された光に関する情報と、この光に関する情報の確からしさの度合いを示す確度とに基づいて、表示部の輝度を制御する。
【００１０】
第１の実施形態では、照度センサによって検出された照度と、表示部のタッチパネルの操作の有無に応じて判定された確度とに基づいて輝度が制御される。例えば、輝度制御部は、タッチパネルの操作が行われていない場合、確度が所定値以上と判定され、照度センサによって検出された照度に基づいて輝度の制御が行われる。一方で、例えば、輝度制御部は、タッチパネルの操作が行われた場合、確度が所定値未満と判定され、照度センサによって検出された照度に基づいた輝度の制御を抑制する。即ち、確度が所定値未満と判定された場合、輝度制御部は輝度の制御を行わない。又は、輝度制御部は、確度が所定値未満と判定された場合、タッチパネルの操作によって生じる照度の変化量（減量）を推測し、その変化量を考慮した輝度の制御をする。
第２の実施形態では、照度センサによって検出された照度と、液晶表示画面の状態に応じて判定された確度とに基づいて輝度が制御される。例えば、液晶表示画面が透過状態にある場合、確度が所定値以上と判定され、照度センサによって検出された照度に基づいて輝度の制御が行われる。一方で、例えば、輝度制御部は、液晶表示画面が透過状態にない場合、確度が所定値未満と判定され、照度センサによって検出された照度に基づいた輝度の制御を抑制する。即ち、確度が所定値未満と判定された場合、輝度制御部は輝度の制御を行わない。又は、輝度制御部は、確度が所定値未満と判定された場合、液晶表示画面が透過状態にないことによって生じる照度の変化量（減量）を推測し、その変化量を考慮した輝度の制御をする。
このように、各実施形態における輝度制御部は、照度センサが検出する、光に関する情報の確度が所定値以上である場合に、表示部の輝度を制御する。即ち、照度センサ２９によって検出された光量等の確度が判定され、確度が高いと判定された場合、表示部の輝度が調整される。また、確度が低いと判定された場合、高いと判定された場合と比べて、表示部の輝度の制御は抑制される。これにより適切な輝度調整が行われる。
【００１１】
以下、本発明の実施形態について、図面を用いて説明する。
［構成］
図１は、本発明の第１実施形態である電子機器１の概略図である。
図１に示すように、本実施形態の電子機器１は、腕時計型の装置（スマートウォッチ等）として構成されている。また、電子機器１は、第１表示部１８及び第２表示部２４（後述）を備えており、第１表示部１８の上に第２表示部２４が積層されている。さらに、第２表示部２４の上には、後述するタッチパネル１７が設けられている。このため、電子機器１においては、第１表示部１８の表示に第２表示部２４の表示を重ね合わせて表示することが可能であると共に、表示内容にタッチ操作することが可能となっている。
【００１２】
図２は、電子機器１のハードウェア構成を示すブロック図である。
図２に示すように、電子機器１は、ＣＰＵ（Ｃｅｎｔｒａｌ  Ｐｒｏｃｅｓｓｉｎ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、記憶部１４と、ＲＴＣ（Ｒｅａｌ  Ｔｉｍｅ  Ｃｌｏｃｋ）部１５と、ドライブ１６と、タッチパネル１７と、第１表示部１８と、第１入力部１９と、ブルートゥース（登録商標）用アンテナ２０と、ブルートゥース（登録商標）モジュール２１と、無線ＬＡＮ（Ｌｏｃａｌ  Ａｒｅａ  Ｎｅｔｗｏｒｋ）アンテナ２２と、無線ＬＡＮモジュール２３と、第２表示部２４と、脈拍センサ２５と、地磁気センサ２６と、加速度センサ２７と、ジャイロセンサ２８と、照度センサ２９と、第２入力部３０と、ＧＰＳ（Ｇｌｏｂａｌ  Ｐｏｓｉｔｉｏｎｉｎｇ  Ｓｙｓｔｅｍ）アンテナ３１と、ＧＰＳモジュール３２と、を備えている。
【００１３】
ＣＰＵ１１は、第１ＣＰＵ１１Ａと、第２ＣＰＵ１１Ｂとによって構成される。
第１ＣＰＵ１１Ａは、各種演算処理を行い、ＯＳの処理を実行することにより、電子機器１におけるスマートフォンに類する機能を制御する。本実施形態において、第１ＣＰＵ１１Ａは、ブルートゥース（登録商標）モジュール２１あるいは無線ＬＡＮモジュール２３を介して受信した電子メールの着信や気象情報に関するメッセージ等を第１表示部１８に表示させたり、タッチパネル１７を介して入力される操作を受け付けたりする。また、第１ＣＰＵ１１Ａは、第１入力部１９を介して入力される音声を認識したり、その他、スマートフォンに類する機能として実装された各種機能に係る処理を行ったりする。
また、本実施形態において、第１ＣＰＵ１１Ａは、ＲＴＣ部１５から所定タイミングで時刻信号を取得する。
【００１４】
第２ＣＰＵ１１Ｂは、特定のプログラムの処理を実行することにより、第２表示部２４に対する表示の指示を行ったり、各種センサの検出結果を取得したり、その他、腕時計の機能として実装された各種機能に係る処理を行ったりする。本実施形態において、第２ＣＰＵ１１Ｂは、第１ＣＰＵ１１Ａから入力された時刻信号を基準として、時刻を計算したり、時刻、曜日あるいは日付等を第２表示部２４に表示させたりする。第２ＣＰＵ１１Ｂが実行する特定のプログラムの処理（時刻の計算等）は、第１ＣＰＵ１１Ａが実行するＯＳの処理に比べて単純な動作であることから処理負荷が小さく、低消費電力で実行可能である。また、そのため、第２ＣＰＵ１１Ｂに要求されるハードウェアのスペックは、第１ＣＰＵ１１Ａに比べて低いもので足りる。
【００１５】
ＲＯＭ１２は、第１ＣＰＵ１１Ａ及び第２ＣＰＵ１１Ｂそれぞれからデータの読み出しが可能であり、第１ＣＰＵ１１Ａ及び第２ＣＰＵ１１Ｂが実行する種々のプログラムや初期設定データを格納する。例えば、ＲＯＭ１２は、第１ＣＰＵ１１Ａが実行するＯＳのプログラムやＯＳの管理下で実行される各種プログラム、あるいは、第２ＣＰＵ１１Ｂが実行する特定のプログラム（ここでは、腕時計の機能を実現する組み込み用プログラム）のプログラムを格納する。
【００１６】
ＲＡＭ１３は、第１ＣＰＵ１１Ａ及び第２ＣＰＵ１１Ｂそれぞれからデータの読み出し及び書き込みが可能であり、第１ＣＰＵ１１Ａ及び第２ＣＰＵ１１Ｂに作業用のメモリ空間を提供し、作業用の一時データを記憶する。例えば、ＲＡＭ１３は、第１ＣＰＵ１１ＡがＯＳを実行する際のシステム領域やワークエリアを提供したり、第２ＣＰＵ１１Ｂが特定のプログラムを実行する際の記憶領域を提供したりする。
【００１７】
記憶部１４は、第１ＣＰＵ１１Ａ及び第２ＣＰＵ１１Ｂそれぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１４には、スマートフォンに類する各種機能や腕時計の機能等において生成された各種データ（各種設定内容のデータ等）が記憶される。
【００１８】
ドライブ１６には、磁気ディスク、光ディスク、光磁気ディスク、あるいは半導体メモリ等よりなる、リムーバブルメディア４１が適宜装着される。リムーバブルメディア４１は、各種センサによって検出されたデータ等の各種データを記憶することができる。
タッチパネル１７は、第２表示部２４の表示画面上に設けられた静電容量方式または抵抗膜式等のタッチパネルである。タッチパネル１７は、操作面に対するユーザのタッチ操作位置と操作内容とを検出して当該操作に応じた信号を発生させて、入力信号として第１ＣＰＵ１１Ａに出力する。
【００１９】
第１表示部１８は、有機ＥＬディスプレイ（Ｏｒｇａｎｉｃ  Ｌｉｇｈｔ  Ｅｍｉｔｔｉｎｇ  Ｄｉｏｄｅ）によって構成され、第１ＣＰＵ１１Ａの制御に従って、各種情報を表示画面に表示する。
第１入力部１９は、音声を電気信号に変換するマイクを備え、入力された音声（操作のための音声コマンド等）を示す信号を第１ＣＰＵ１１Ａに出力する。
【００２０】
ブルートゥース（登録商標）用アンテナ２０は、ブルートゥース（登録商標）の規格に基づく電磁波を送受信するアンテナであり、例えばモノポールアンテナ等によって構成される。ブルートゥース（登録商標）用アンテナ２０は、ブルートゥース（登録商標）モジュール２１から入力された無線通信の電気信号を電磁波として送信したり、受信した電磁波を電気信号に変換してブルートゥース（登録商標）モジュール２１に出力したりする。
ブルートゥース（登録商標）モジュール２１は、第１ＣＰＵ１１Ａの指示に従って、ブルートゥース（登録商標）用アンテナ２０を介して他の装置に信号を送信する。また、ブルートゥース（登録商標）モジュール２１は、他の装置から送信された信号を受信し、受信した信号が示す情報を第１ＣＰＵ１１Ａに出力する。
【００２１】
無線ＬＡＮアンテナ２２は、無線ＬＡＮモジュール２３によって利用される無線通信に対応した周波数の電波を受信可能なアンテナであり、例えばループアンテナやロッドアンテナによって構成される。無線ＬＡＮアンテナ２２は、無線ＬＡＮモジュール２３から入力された無線通信の電気信号を電磁波として送信したり、受信した電磁波を電気信号に変換して無線ＬＡＮモジュール２３に出力したりする。
無線ＬＡＮモジュール２３は、第１ＣＰＵ１１Ａの指示に従って、無線ＬＡＮアンテナ２２を介して他の装置に信号を送信する。また、無線ＬＡＮモジュール２３は、他の装置から送信された信号を受信し、受信した信号が示す情報を第１ＣＰＵ１１Ａに出力する。
【００２２】
第２表示部２４は、部分的にまたは全体的に光を透過可能なＰＮ（Ｐｏｌｙｍｅｒ  Ｎｅｔｗｏｒｋ）液晶ディスプレイから構成され、第２ＣＰＵ１１Ｂの制御に従って、各種情報を表示画面に表示（ここではセグメント表示）する。
本実施形態において、第２表示部２４であるＰＮ液晶ディスプレイは、図３Ｂに示すように、上述した第１表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。即ち、電子機器１の表示領域では、第１表示部１８による表示に第２表示部２４による表示を重ね合わせた状態で表示することができるようになっている。
このように、液晶分子の整列／不整列を引き起こす機能によって、光の透過が阻害される。この機能に因んで、本実施形態におけるＰＮ液晶ディスプレイの構成を「液晶シャッタ」と称する。また、液晶分子によって光が反射され得る状態を「液晶シャッタの閉状態」と称し、液晶分子によって光が透過する状態を「液晶シャッタの開状態」と称する。
【００２３】
脈拍センサ２５は、電子機器１の裏面側（ユーザの腕に面する側）に設置され、電子機器１が装着されたユーザの脈拍を検出する。
地磁気センサ２６は、地磁気の方向を検出し、検出した地磁気の方向を示す情報を第２ＣＰＵ１１Ｂに出力する。
加速度センサ２７は、電子機器１における３軸方向の加速度を検出し、検出した加速度を示す情報を第２ＣＰＵ１１Ｂに出力する。
ジャイロセンサ２８は、電子機器１における３軸方向の角速度を検出し、検出した角速度を示す情報を第２ＣＰＵ１１Ｂに出力する。
【００２４】
照度センサ２９は、第１表示部１８の裏面側の所定箇所に設置され、電子機器１の表示領域における明るさ（照度）を検出し、検出した明るさを示す情報を第２ＣＰＵ１１Ｂに出力する。第１ＣＰＵ１１Ａは、後述するように、照度センサ２９によって検出された明るさに基づいて、第１表示部１８の表示画面の輝度を調整する処理（後述する第１輝度制御処理、及び第２輝度制御処理）を実行する。
【００２５】
図３Ａは、電子機器１の表示領域における照度センサ２９の設置形態を示す模式図である。また、図３Ｂは、図３ＡにおけるＸ−Ｘ’断面を示す模式図である。
図３Ａに示すように、照度センサ２９は、第１表示部１８及び第２表示部２４の表示領域における所定箇所（図３Ｂにおいては、破線で示す中央右下の位置）に設置される。
また、図３Ｂに示すように、電子機器１の表示領域は、表面側からカバーガラスＣＧ、タッチパネル１７、第２表示部２４、第１表示部１８、黒色シートＢＳ、メイン基板ＭＢの順に積層された断面構造を有している。
【００２６】
これらのうち、黒色シートＢＳは、第２表示部２４及び第１表示部１８を透過して視認した場合の発色を調整する部材であり、本実施形態では、黒色が視認される構成となっている。また、黒色シートＢＳの一部には、貫通穴Ｈが形成されており、この貫通穴Ｈの中に照度センサ２９が設置されている。そのため、照度センサ２９には、電子機器１の表示領域における表面側から光が入射する構造となっており、電子機器１が明るい外光下に置かれ、表示領域の照度が高くなっていることや、電子機器１のタッチパネル１７をユーザが指で操作し、指によって覆われることで表示領域の照度が低くなっていること等を検出することができる。
【００２７】
図２に戻り、第２入力部３０は、各種ボタンで構成され、ユーザの指示操作に応じて各種情報を入力する。
ＧＰＳアンテナ３１は、ＧＰＳにおける衛星から発信される電波を受信して電気信号に変換し、変換した電気信号（以下、「ＧＰＳ信号」と称する。）をＧＰＳモジュール３２に出力する。
ＧＰＳモジュール３２は、ＧＰＳアンテナ３１から入力されたＧＰＳ信号に基づいて、電子機器１の位置（緯度、経度、高度）及びＧＰＳによって示される現在時刻を検出する。また、ＧＰＳモジュール３２は、検出した位置及び現在時刻を示す情報を第２ＣＰＵ１１Ｂに出力する。
【００２８】
［第１実施形態の機能的構成］
次に、電子機器１の機能的構成について説明する。
図４は、図２の電子機器１の機能的構成のうち、第１輝度制御処理を実行するための機能的構成を示す機能ブロック図である。
第１輝度制御処理とは、照度センサ２９によって検出された照度に基づいて、第１表示部１８の表示画面の輝度を制御する一連の処理である。
【００２９】
第１輝度制御処理が実行される場合、図４に示すように、第１ＣＰＵ１１Ａにおいて、照度情報取得部５１と、操作判定部５２と、輝度制御部５３と、が機能し、第２ＣＰＵ１１Ｂにおいて、センサ情報取得部６１が機能する。
照度情報取得部５１は、第２ＣＰＵ１１Ｂのセンサ情報取得部６１によって検出された照度を取得する。
操作判定部５２は、タッチパネル１７の検出結果に基づいて、電子機器１の表示領域において、ユーザがタッチ操作を行っているか否かの判定を行う。このとき、操作判定部５２は、表示領域において、ユーザがタッチ操作を行っている位置を検出する。
【００３０】
輝度制御部５３は、照度情報取得部５１によって取得された照度に基づいて、第１表示部１８の輝度を制御する。即ち、輝度制御部５３は、電子機器１が明るい（照度が高い）環境に置かれている場合、表示画面が相対的に暗くなり、視認し難くなること防ぐため、検出された照度に応じた高い輝度に第１表示部１８の輝度を制御する。一方、輝度制御部５３は、電子機器１が暗い（照度が低い）環境に置かれている場合、表示画面が過度に明るくなり、視認し難くなること防ぐため、検出された照度に応じた低い輝度に第１表示部１８の輝度を制御する。なお、照度に対応する輝度の値は、例えば、テーブル形式のデータあるいは所定の関数として電子機器１に保持されており、輝度制御部５３は、これらテーブル形式のデータまたは所定の関数を適宜参照して輝度を制御する。
【００３１】
また、輝度制御部５３は、照度情報取得部５１によって取得された照度及び操作判定部５２の判定結果に基づいて、第１表示部１８の輝度を制御する。例えば、輝度制御部５３は、電子機器１の表示領域における照度が予め設定された閾値Ｌｔｈ以下である場合、ユーザがタッチ操作を行っているか否かの判定を行う。そして、ユーザがタッチ操作を行っている場合、ユーザの操作（指や手等）によって電子機器１の表示領域が覆われ、一時的に照度が低下していると推定されることから、輝度制御部５３は、第１表示部１８の輝度を調整することなく、従前の輝度（例えば、タッチ操作が検出される直前の輝度）を維持する。一方、ユーザがタッチ操作を行っていない場合、電子機器１の環境自体が暗くなり、照度が低下していると推定されることから、輝度制御部５３は、第１表示部１８の輝度を調整し、照度情報取得部５１によって取得された照度に応じて輝度を低くする。なお、閾値Ｌｔｈは、第１表示部１８の表示領域においてユーザがタッチ操作している際の照度を実験によって求めて設定すること等が可能である。
センサ情報取得部６１は、照度センサによって検出された照度等、各種センサによって検出された検出値を取得する。
【００３２】
［第１実施形態の動作］
図５は、図４の機能的構成を有する図１の電子機器１が実行する第１輝度制御処理の流れを説明するフローチャートである。
第１輝度制御処理は、電子機器１の電源投入と共に開始され、電子機器１の電源をオフする操作が行われた場合に終了する。
ステップＳ１において、照度情報取得部５１は、第２ＣＰＵ１１Ｂのセンサ情報取得部６１によって検出された照度を取得する。
ステップＳ２において、輝度制御部５３は、取得された照度に基づいて、第１表示部１８の輝度を制御する。
【００３３】
ステップＳ３において、輝度制御部５３は、照度に変化が生じているか否かの判定を行う。このとき、例えば、予め設定された変化量の閾値以上、照度が変化している場合に、照度に変化が生じていると判定することができる。
照度に変化が生じていない場合、ステップＳ３においてＮＯと判定されて、ステップＳ３の処理が繰り返される。
一方、照度に変化が生じている場合、ステップＳ３においてＹＥＳと判定されて、処理はステップＳ４に移行する。
【００３４】
ステップＳ４において、輝度制御部５３は、照度が予め設定された閾値Ｌｔｈ以下であるか否かの判定を行う。
照度が予め設定された閾値Ｌｔｈ以下でない場合、ステップＳ４においてＮＯと判定されて、処理はステップＳ２に移行する。即ち、第１表示部１８の表示領域においてユーザがタッチ操作している場合に想定される照度よりも高い場合、輝度調整が実行される。
一方、照度が予め設定された閾値Ｌｔｈ以下である場合、ステップＳ４においてＹＥＳと判定されて、処理はステップＳ５に移行する。
【００３５】
ステップＳ５において、操作判定部５２は、タッチパネル１７の検出結果に基づいて、電子機器１の表示領域において、ユーザがタッチ操作を行っているか否かの判定を行う。
電子機器１の表示領域において、ユーザがタッチ操作を行っていない場合、ステップＳ５においてＮＯと判定されて、処理はステップＳ２に移行する。この場合、電子機器１の環境自体が暗くなっていると推定されるため、輝度調整が実行される。
一方、電子機器１の表示領域において、ユーザがタッチ操作を行っている場合、ステップＳ５においてＹＥＳと判定されて、処理はステップＳ３に移行する。この場合、ユーザがタッチ操作を行っているために、ユーザの操作（指や手等）によって電子機器１の表示領域が覆われ、一時的に照度が低下していると推定されるため、輝度調整が行われない。
即ち、輝度制御部５３は、照度センサ２９が検出する光に関する情報の確度を、タッチパネル１７の検出結果に基づいて判定し、輝度制御部５３は、その確度が所定値以上であると判定した場合、輝度調整を行う。
ここで、確度が所定値以上の場合とは、ユーザがタッチ操作を行っていない場合（ステップＳ５においてＮＯと判定される場合）である。
【００３６】
このような処理により、電子機器１においては、表示領域の照度に応じて、第１表示部１８の表示画面の輝度が調整されると共に、表示領域における照度が予め設定された閾値Ｌｔｈ以下となった場合には、ユーザがタッチ操作を行っているか否かの判定が行われる。そして、ユーザがタッチ操作を行っている場合には、ユーザの操作（指や手等）によって電子機器１の表示領域が覆われ、一時的に照度が低下していると推定されることから、第１表示部１８の輝度が調整されることなく、従前の輝度が維持される。
したがって、第１表示部１８の裏側に照度センサ２９を配置されてなる電子機器１において、ユーザがタッチパネル１７の操作を行ったとしても、誤った第１表示部１８の輝度調整となることを抑制することができる。
【００３７】
［第２実施形態の機能的構成］
図６は、図２の電子機器１の機能的構成のうち、第２輝度制御処理を実行するための機能的構成を示す機能ブロック図である。
以下、図６を参照して、第２実施形態に係る電子機器１の機能的構成を説明する。第１実施形態との違いは、第２ＣＰＵ１１Ｂに透過率制御部６２が更に設けられることである。第１実施形態では、タッチパネルの操作の有無に応じて輝度調整を抑制するが、第２実施形態では、透過率制御部６２による液晶シャッタの開／閉状態に応じて、輝度調整を抑制する。
なお、第１実施形態と第２実施形態とのハードウェア構成は同一であるため説明は省略する。ハードウェア構成及び機能的構成において、第１実施形態と同一の要素には同一の符号が付されている。
【００３８】
センサ情報取得部６１の機能は、第１実施形態と同じであるため、説明を省略する。
透過率制御部６２は、第２表示部２４であるＰＮ液晶ディスプレイの透過率を制御する。上述のように、ＰＮ液晶ディスプレイは、電位が掛けられた部位では入射光を透過し、電位が掛けられていない部位では入射光を透過しない。
透過率制御部６２は、第２入力部３０に対する操作に応じて、第２表示部２４に電位を掛け、又は、電位を掛けない制御を行う。この入力操作が行われると、例えば、第２表示部２４の表示内容の表示色である白黒が反転する等、表示内容のデザインが変わる。
【００３９】
第２輝度制御処理が実行される場合、図６に示すように、第１ＣＰＵ１１Ａにおいて、照度情報取得部５１と、操作判定部５２と、輝度制御部５３と、が機能し、第２ＣＰＵ１１Ｂにおいて、センサ情報取得部６１、及び透過率制御部６２が機能する。
照度情報取得部５１は、第２ＣＰＵ１１Ｂのセンサ情報取得部６１によって検出された照度を取得する。
操作判定部５２は、第２入力部３０に対するユーザの入力操作を検出することによって、第２表示部２４において、液晶シャッタが開状態、又は閉状態のいずれの状態にあるかの判定を行う。
透過率制御部６２は、第２入力部３０に対するユーザの入力操作が検出されると、第２表示部２４のＰＮ液晶ディスプレイの透過率を変更する。透過率は、例えば、液晶シャッタの開状態（透過状態）又は閉状態（相対的に透過しない状態）の二値である。
【００４０】
［第２実施形態の動作］
図７は、図６の機能的構成を有する図１の電子機器１が実行する第２の輝度制御処理の流れを説明するフローチャートである。
ステップＳ１〜Ｓ３の動作は、第１実施形態と同様である。即ち、ステップＳ１において、照度情報取得部５１は、照度を取得し、ステップＳ２において、輝度制御部５３は、取得された照度に基づいて、第１表示部１８の輝度を制御する。
ステップＳ３において、輝度制御部５３は、照度に変化が生じているか否かの判定を行う。照度に変化が生じていない場合、ステップＳ３の処理が繰り返され、一方、照度に変化が生じている場合、処理はステップＳ１４に移行する。
【００４１】
ステップＳ１４において、輝度制御部５３は、照度が予め設定された第２閾値Ｌｔｈ以下であるか否かの判定を行う。照度が予め設定された第２閾値Ｌｔｈ以下でない場合、ステップＳ１４においてＮＯと判定されて、処理はステップＳ２に移行する。
ここで、第２閾値Ｌｔｈは、例えば、液晶シャッタが閉状態の場合に想定される照度である。第２閾値Ｌｔｈは、例えば、複数条件下における実測値から導出された値であって、出荷時等に予め記録される。
即ち、ステップＳ１４では、照度情報取得部５１で取得される照度から、第２表示部２４の液晶シャッタが開状態にあるか否かを推定する。輝度制御部５３は、照度が、液晶シャッタが閉状態にある場合に想定される照度よりも高い場合、液晶シャッタは開状態にあるものと推定し、ステップＳ２に移行して、取得された照度に基づいて第１表示部１８の輝度調整を行う。
一方、照度が予め設定された第２閾値Ｌｔｈ以下である場合、ステップＳ１４においてＹＥＳと判定されて、処理はステップＳ５に移行する。
【００４２】
ステップＳ１５において、操作判定部５２は、透過率制御部６２の制御に基づいて、第２表示部２４の透過率、即ち、液晶シャッタの開閉状態を判定する。
操作判定部５２が、液晶シャッタが開状態であると判定したとき、ステップＳ１５においてＮＯと判定し、処理はステップＳ２に移行する。この場合、電子機器１の環境自体が暗くなっていると推定されるため、輝度調整が実行される。
一方、操作判定部５２が、液晶シャッタが閉状態であると判定したとき、ステップＳ１５においてＹＥＳと判定されて、処理はステップＳ１６に移行する。この場合、液晶シャッタが閉状態であることによって、電子機器１の表示領域が液晶シャッタに覆われ、照度が低下していると推定される。換言すれば、液晶シャッタによって照度センサの入射光の一部が遮られている状態であるため、照度が低下していると推定される。このようにシャッタが閉状態のままでは、輝度制御部５３は、環境に応じた正確な外光量を検出することが出来ないため、輝度制御部５３は輝度調整を行わず、処理はステップＳ１６へ進む。
即ち、操作判定部５２は、照度センサ２９が検出する光に関する情報の確度を、液晶シャッタの開閉状態の検出結果に基づいて判定し、輝度制御部５３は、その確度が所定値以上であると判定された場合に輝度調整を行う。
ここで、確度が所定値以上の場合とは、液晶シャッタが開状態の場合（ステップＳ１５においてＮＯと判定される場合）である。
【００４３】
ステップＳ１６において、操作判定部５２が、電子機器１が所定の条件を満たすと判定したとき、処理はステップＳ１７へ進む。ステップＳ１７において、透過率制御部６２は、液晶シャッタを一時的に開状態とする。
所定の条件とは、例えば、ユーザが電子機器１に対して所謂チルトを生じさせた場合、第２入力部３０がユーザから液晶シャッタを開状態とする操作を受け付けた場合、或いは、第２入力部３０が所定の時間なんら操作を受け付けていない場合である。
【００４４】
ステップＳ１７において、液晶シャッタが一時的に開状態となることにより、照度センサ２９には、液晶シャッタに遮られない外光が入射する。液晶シャッタが開状態となっている間、照度センサ２９は、電子機器１の環境に応じた外光に基づく照度をより正確に取得することが可能となる。
【００４５】
［変形例１］
上述の第１実施形態において、電子機器１の表示領域における照度が閾値Ｌｔｈ以下であり、操作判定部５２によって、電子機器１の表示領域に対してユーザがタッチ操作を行っていると判定された場合に、輝度制御部５３による第１表示部１８の輝度の制御を行わないものとして説明した。
これに対し、電子機器１の表示領域における照度が閾値Ｌｔｈ以下である場合に、操作判定部５２が、電子機器１の表示領域のうち、照度センサ２９が設置されている表示領域（以下、「影響領域」と称する。）に対してユーザがタッチ操作を行っているか否かを判定し、影響領域にユーザがタッチ操作を行ったと判定された場合に、輝度制御部５３による第１表示部１８の輝度の制御を行わないこととしてもよい。
このような制御を行うことにより、ユーザの操作（指や手等）によって電子機器１の表示領域が覆われ、一時的に照度が低下している状況をより適確に検出し、第１表示部１８の輝度調整に反映させることが可能となる。
【００４６】
［変形例２］
上述の第１実施形態において、輝度制御部５３が第１表示部１８の輝度を制御する場合、第１表示部１８自身が現在の表示内容によって発光している光量を輝度制御部５３によって判定し、その光量によって生じている照度の検出結果の変動を補正した上で、第１輝度制御処理を実行することとしてもよい。即ち、上述の実施形態においては、照度情報取得部５１によって取得された照度と、ユーザがタッチ操作を行っているか否かの判定結果に基づいて、第１表示部１８の輝度の調整を行う、または、第１表示部１８の輝度を調整することなく、従前の輝度を維持するものとした。これに対し、本変形例においては、照度センサ２９の配置位置に対応する領域で第１表示部１８によって表示される表示内容は、電子機器１において把握されていることから、その表示内容に基づく照射光がユーザの指等に反射して照度センサ２９の検出結果に影響する成分を推定する。そして、検出される照度の変化全体のうち、第１表示部１８の表示内容に基づく照度の変化の成分を照度センサ２９の検出結果から差し引いた上で、第１表示部１８の表示領域における照度の変化を判定する。
これにより、第１表示部１８の表示内容の影響を抑制して、第１表示部１８の輝度調整を行うことができる。
なお、本変形例のような構成は、上述のようにタッチパネル１７上に指があるか否か（ユーザがタッチ操作を行っているか否か）を判定する場合に限って適用されるものではない。即ち、輝度制御部５３が第１表示部１８の輝度を制御するにあたり、外光を検出する際には、第１表示部１８自身の発光による光量を輝度制御部５３が常に判定し、照度センサ２９が検出した照度から、当該第１表示部１８自身の発光による光の成分を差し引いた検出結果に基づいて、第１表示部１８の輝度を制御するようにしてもよい。このようにすることで、第１表示部１８自身の発光の影響を抑制した正確な照度に基づいて、第１表示部１８の輝度調整を行うことができる。
【００４７】
［変形例３］
上述の第２実施形態において、図７のステップＳ１６における検出条件は、チルトが生じた場合などであったが、他の実施例として、以下の場合であってもよい。
例えば、照度センサ２９において、常時取得している照度が急激に変化した場合であってもよい。この場合、ステップＳ１６において照度が急激に変化すると、処理はステップＳ１７に進む。ステップＳ１７において、照度センサ２９は、液晶シャッタが開状態で照度を検出する。これにより、照度センサ２９は、環境の変化に応じて正確な照度を検出することが出来る。
【００４８】
［変形例４］
上述の実施形態では、図２等に示されるように、電子機器１は、第１の表示部１８及び第２の表示部２４が備えられているが、第１の表示部１８を備えない構成であってもよい。この場合、輝度制御部５３は、照度センサ２９によって検出された照度に基づいて、第２表示部２４の輝度を調整する。
即ち、本変形例の電子機器１は、第１表示部１８を備えず、第２表示部２４が液晶シャッタとバックライトで構成される構成であってもよい。この場合、照度センサ２９は、第２の表示部２４の裏面に配置されて、光に関する情報を検出する。操作判定部５２は、光に関する情報の確度が所定値以上であると判定した場合、輝度制御部５３は、第２表示部２４のバックライトの輝度を調整する。
【００４９】
［変形例５］
他の変形例として、第１の表示部１８が、表示部ではなくバックライトとして機能する構成としてもよい。この場合、表示内容を表示する表示部は、第２の表示部２４であり、図中の第１表示部１８であるＯＬＥＤはバックライトとして機能する。この場合、照度センサ２９は、第２の表示部２４の裏面に配置されて、光に関する情報を検出する。操作判定部５２は、光に関する情報の確度が所定値以上であると判定した場合、輝度制御部５３は、ＯＬＥＤの輝度を調整する。
【００５０】
［変形例６］
他の変形例として、第１の実施形態のステップＳ５においてＹＥＳと判定される場合、即ち、ユーザがタッチパネル１７を操作している場合、輝度制御部５３は、輝度の制御を抑制してもよい。この場合、ＲＯＭ１２には、タッチパネル１７が操作されていない状態から操作されている状態になることによって生じる照度の減量値が予め保持されており、輝度の制御においてこの減量値が用いられる。例えば、輝度制御部５３は、タッチパネル１７が操作されている状態で検出した照度に対して、予め保持されている減量値に相当する照度を加算することによって、タッチパネル１７が操作されていない状態での照度を推定する。輝度制御部５３は、推定された照度に基づいて、第１表示部１８の輝度を制御する。このように、輝度制御部５３は、タッチ操作がないときの通常の輝度制御を抑制し、異なる制御を行ってもよい。
【００５１】
［変形例７］
他の変形例として、第２の実施形態のステップＳ１６においてＹＥＳと判定される場合、即ち、液晶シャッタが閉状態である場合、輝度制御部５３は、輝度の制御を抑制してもよい。この場合、ＲＯＭ１２には、液晶シャッタが開状態から閉状態になることによって生じる照度の減量値が予め保持されており、輝度の制御においてこの減量値が用いられる。例えば、輝度制御部５３は、液晶シャッタの閉状態で検出した照度に対して、予め保持されている減量値に相当する照度を加算することによって、液晶シャッタの開状態での照度を推定する。輝度制御部５３は、推定された照度に基づいて、第１表示部１８の輝度を制御する。このように、輝度制御部５３は、液晶シャッタが開状態であるときの通常の輝度制御を抑制し、異なる制御を行ってもよい。
【００５２】
以上のように構成される電子機器１は、第１表示部１８又は第２表示部２４と、照度センサ２９と、輝度制御部５３と、操作判定部５２と、を備える。
照度センサ２９は、表示部の表示面の背面側に配置される。輝度制御部５３は、照度センサ２９によって検出された光に関する情報に基づいて、例えば、第１表示部１８の輝度を制御する。操作判定部５２は、照度センサ２９が検出する光に関する情報の確度を判定する。
輝度制御部５３は、操作判定部５２によって光に関する情報の確度が所定値以上であると判定された場合に、例えば、第１表示部１８の輝度の制御をし、
輝度制御部５３は、操作判定部５２によって光に関する情報の確度が所定値未満であると判定された場合に、例えば、第１表示部１８の輝度の制御を抑制する。
これにより、照度センサ２９によって検出された光量の確からしさが判定され、確かであると判定された場合に、表示部の輝度が調整されるため、適切な輝度調整が行われる。例えば、照度センサ２９によって検出される照度が低下した場合、照度の低下が、照度センサ２９の入射光を遮るように表れた偶発的な障害物による一時的な現象か、又は、電子機器１の環境が暗くなったのかを判定出来るため、表示面の輝度がより精度よく調整される。
【００５３】
電子機器１は、第１表示部１８又は第２表示部２４の表面側に配置されたタッチパネル１７をさらに備え、
操作判定部５２は、タッチパネル１７がユーザに操作されているか否かを判定し、
輝度制御部５３は、操作判定部５２によって、タッチパネル１７がユーザに操作されていないと判定された場合に、確度が所定値以上であると判定し、第１表示部１８の輝度の制御をし、
輝度制御部５３は、操作判定部５２によって、タッチパネル１７がユーザに操作されていると判定された場合に、確度が所定値未満であると判定され、第１表示部１８の輝度の制御を抑制する。
これにより、ユーザのタッチパネル１７の操作により、一時的に照度が低下したか、又は、電子機器の環境が暗くなったのかを判定することができる。タッチパネルの操作の有無を判定することにより、照度センサ２９は、より正確に第１表示部１８の輝度を制御することが出来る。
【００５４】
電子機器１の第１表示部１８は、第２表示部２４を含み、
輝度制御部５３は、第２表示部２４の液晶シャッタが透過状態になっているか否かを判定し、
輝度制御部５３は、操作判定部５２によって、液晶シャッタが透過状態になっていると判定された場合に、確度が所定値以上であると判定し、第１表示部１８の輝度を制御し、
輝度制御部５３は、操作判定部５２によって、液晶シャッタが透過状態になっていないと判定された場合に、確度が所定値未満であると判定され、第１表示部１８の輝度の制御を抑制する。
これにより、液晶シャッタの透過率、即ち、上述の液晶シャッタの開閉の状態に応じて、適切な照度を検出することが出来る。液晶シャッタが開状態であるとき、照度センサ２９によって照度が検出されることにより、電子機器１の環境の照度をより正確に検出することが出来る。
【００５５】
第１表示部１８は、第２表示部２４の背面側に配置されたＯＬＥＤを含み、
照度センサ２９はＯＬＥＤの背面側に配置され、
輝度制御部５３は、操作判定部５２によって、液晶シャッタが透過状態になっていると判定された場合に、確度が所定値以上であると判定し、第１表示部１８の輝度の制御をし、
輝度制御部５３は、操作判定部５２によって、液晶シャッタが透過状態になっていないと判定された場合に、確度が所定値未満であると判定され、ＯＬＥＤの輝度の制御を抑制する。
これにより、液晶シャッタが透過状態となっている場合に照度が検出されるため、より正確に第１表示部１８の輝度が制御される。
【００５６】
操作判定部５２は、タッチパネル１７のうち、照度センサ２９が配置されている領域に対応する影響領域をユーザがタッチしたか否かを判定する。
輝度制御部５３は、操作判定部５２によって、影響領域をユーザがタッチしていないと判定された場合に、確度が所定値以上であると判定され、第１表示部１８の輝度の制御を制御し、
輝度制御部５３は、操作判定部５２によって、影響領域をユーザがタッチしたと判定された場合に、確度が所定値未満であると判定し、輝度制御部５３による第１表示部１８の輝度の制御を抑制する。
これにより、ユーザの操作（指や手等）によって電子機器１の表示領域が覆われ、一時的に照度が低下している状況をより適確に検出し、第１表示部１８の輝度調整に反映させることが可能となる。
【００５７】
輝度制御部５３は、操作判定部５２がタッチパネル１７をユーザが操作していると判定された場合に、第１表示部１８の輝度を、タッチパネル１７の操作を検出した直前の輝度のままで維持する。
これにより、ユーザの操作（指や手等）によって電子機器１の表示領域が覆われ、一時的に照度が低下していると推定される場合に、第１表示部１８の輝度を維持することができる。
【００５８】
第１表示部１８は、ＯＬＥＤである。
これにより、自発光する素子によって構成された第１表示部１８において、照度に基づく輝度の調整をより適切に行うことが可能となる。
【００５９】
制御対象の第１表示部１８又は第２表示部２４は、バックライトを含む。
これにより、バックライトが第２表示部であるＰＮ液晶ディスプレイの輝度を調整することが可能となる。
【００６０】
輝度制御部５３は、照度センサ２９が検出した情報のうち、第１表示部１８自身が発する光量の影響による変動を補正した情報に基づいて、第１表示部１８の輝度の制御を行う。
これにより、第１表示部１８の表示内容の影響を抑制して、第１表示部１８の輝度調整を行うことができる。
【００６１】
なお、本発明は、上述の実施形態に限定されるものではなく、本発明の目的を達成できる範囲での変形、改良等は本発明に含まれるものである。
【００６２】
上述の実施形態では、電子機器１の表示領域における照度が閾値Ｌｔｈ以下であり、操作判定部５２によって、電子機器１の表示領域に対してユーザがタッチ操作を行っていると判定された場合に、輝度制御部５３による第１表示部１８の輝度の制御を行わないものとしたが、これに限られない。例えば、電子機器１の表示領域における照度が閾値Ｌｔｈ以下であり、操作判定部５２によって、電子機器１の表示領域に対してユーザがタッチ操作を行っていると判定された場合に、タッチパネル１７がタッチ操作されていない場合に比べて、輝度制御部５３による第１表示部１８の輝度の調整量を低下させることとしてもよい。即ち、輝度の調整を抑制（停止または低下）することでも、上述の実施形態と同様の効果を得ることができる。
【００６３】
また、上述の実施形態では、電子機器１は第１表示部１８と第２表示部２４とを備えるものとしたが、それに限らず、電子機器１は第１表示部１８のみ、又は第２表示部２４のみを備えるものであってもよい。この場合、照度センサ２９の位置は表示部の裏面にあればよい。なお、第１表示部１８及び第２表示部２４を備える構成においては、照度センサ２９は、第１表示部１８と第２表示部２４との間に設けられる構成であってもよい。
また、上述の実施形態では、電子機器１のＣＰＵ１１は第１ＣＰＵ１１Ａと第２ＣＰＵ１１Ｂとからなるものとしたが、それに限らず、ＣＰＵ１１は第１ＣＰＵ１１Ａの機能と第２ＣＰＵ１１Ｂの機能の両方を備える１つのＣＰＵであってもよい。
【００６４】
また、上述の実施形態では、本発明が適用される電子機器１は、デジタルカメラ腕時計型の装置（スマートウォッチ等）を例として説明したが、特にこれに限定されない。
例えば、本発明は、輝度調整機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６５】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が電子機器１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００６６】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６７】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１４に含まれる半導体メモリ等で構成される。
【００６８】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、第２実施形態のステップＳ１４の処理は、必ずしも行われる必要はなく、省略されてもよい。
【００６９】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７０】
以下に、本願の出願当初の特許請求の範囲に記載された発明を付記する。
［付記１］
表示部と、
前記表示部の表示面の背面側に配置された光検出部と、
前記光検出部によって検出された光に関する情報に基づいて、前記表示部の輝度を制御する輝度制御部と、
前記光検出部が検出する光に関する情報の確度を判定する判定部と、を備え、
前記輝度制御部は、前記判定部によって前記光に関する情報の確度が所定値以上であると判定された場合に、前記表示部の輝度の制御をし、
前記輝度制御部は、前記判定部によって前記光に関する情報の確度が所定値未満であると判定された場合に、前記表示部の輝度の制御を抑制する、
ことを特徴とする電子機器。
［付記２］
前記表示部の表面側に配置されたタッチパネル部をさらに備え、
前記判定部は、前記タッチパネル部がユーザに操作されているか否かを判定し、
前記輝度制御部は、前記判定部によって、前記タッチパネル部がユーザに操作されていないと判定された場合に、前記確度が所定値以上であると判定し、前記表示部の輝度の制御をし、
前記輝度制御部は、前記判定部によって、前記タッチパネル部がユーザに操作されていると判定された場合に、前記確度が所定値未満であると判定され、前記表示部の輝度の制御を抑制する、
ことを特徴とする付記１に記載の電子機器。
［付記３］
前記表示部は、液晶表示装置を含み、
前記判定部は、前記液晶表示装置の液晶シャッタが透過状態になっているか否かを判定し、
前記輝度制御部は、前記判定部によって、前記液晶シャッタが透過状態になっていると判定された場合に、前記確度が所定値以上であると判定し、前記表示部の輝度の制御をし、
前記輝度制御部は、前記判定部によって、前記液晶シャッタが透過状態になっていないと判定された場合に、前記確度が所定値未満であると判定され、前記表示部の輝度の制御を抑制する、
ことを特徴とする付記１に記載の電子機器。
［付記４］
前記表示部は、前記液晶表示装置の背面側に配置されたＯＬＥＤを含み、
前記光検出部は前記ＯＬＥＤの背面側に配置され、
前記輝度制御部は、前記判定部によって、前記液晶シャッタが透過状態になっていると判定された場合に、前記確度が所定値以上であると判定し、前記ＯＬＥＤの輝度の制御をし、
前記輝度制御部は、前記判定部によって、前記液晶シャッタが透過状態になっていないと判定された場合に、前記確度が所定値未満であると判定され、前記ＯＬＥＤの輝度の制御を抑制する、
ことを特徴とする付記３に記載の電子機器。
［付記５］
前記判定部は、前記タッチパネル部のうち、前記光検出部が配置されている領域に対応する影響領域をユーザがタッチしたか否か判定し、
前記輝度制御部は、前記判定部によって、前記影響領域をユーザがタッチしていないと判定された場合に、前記確度が所定値以上であると判定され、前記輝度制御部による前記表示部の輝度の制御をし、
前記輝度制御部は、前記判定部によって、前記影響領域をユーザがタッチしたと判定された場合に、前記確度が所定値未満であると判定され、前記輝度制御部による前記表示部の輝度の制御を抑制する、
ことを特徴とする付記２に記載の電子機器。
［付記６］
前記輝度制御部は、前記判定部によって前記確度が所定値以上であると判定された場合に、前記表示部の輝度を、前記タッチパネル部の操作を検出した直前の輝度のままで維持することを特徴とする付記５に記載の電子機器。
［付記７］
制御対象の前記表示部は、ＯＬＥＤを含むことを特徴とする付記１乃至６の何れか一に記載の電子機器。
［付記８］
制御対象の前記表示部は、バックライトを含むことを特徴とする付記１乃至７のいずれか一に記載の電子機器。
［付記９］
前記輝度制御部は、前記光検出部が検出した情報のうち、前記表示部自身が発する光量の影響による変動を補正した情報に基づいて、前記表示部の輝度の制御を行うことを特徴とする付記１乃至８の何れか一に記載の電子機器。
［付記１０］
表示部と、
前記表示部の表示面の背面側に配置された光検出部と、
前記光検出部によって検出された光に関する情報に基づいて、前記表示部の輝度を制御する輝度制御部と、
前記光検出部が検出する光に関する情報の確度を判定する判定部と、を備える電子機器が行う輝度制御方法であって、
前記判定部によって前記光に関する情報の確度が所定値以上であると判定された場合に、前記表示部の輝度の制御をし、
前記判定部によって前記光に関する情報の確度が所定値未満であると判定された場合に、前記表示部の輝度の制御を抑制する、
することを特徴とする輝度制御方法。
［付記１１］
表示部と、
前記表示部の表示面の背面側に配置された光検出部と、
前記光検出部によって検出された光に関する情報に基づいて、前記表示部の輝度を制御する輝度制御部と、
前記光検出部が検出する光に関する情報の確度を判定する判定部と、を有する電子機器を制御するコンピュータに、
前記輝度制御部は、前記判定部によって前記光に関する情報の確度が所定値以上であると判定された場合に、前記表示部の輝度の制御をする機能と、
前記輝度制御部は、前記判定部によって前記光に関する情報の確度が所定値未満であると判定された場合に、前記表示部の輝度の制御を抑制する機能と、を実現させることを特徴とするプログラム。
【符号の説明】
【００７１】
１・・・電子機器，１１・・・ＣＰＵ，１１Ａ・・・第１ＣＰＵ，１１Ｂ・・・第２ＣＰＵ，１２・・・ＲＯＭ，１３・・・ＲＡＭ，１４・・・記憶部，１５・・・ＲＴＣ部，１６・・・ドライブ，１７・・・タッチパネル，１８・・・第１表示部，１９・・・第１入力部，２０・・・ブルートゥース（登録商標）用アンテナ，２１・・・ブルートゥース（登録商標）モジュール，２２・・・無線ＬＡＮアンテナ，２３・・・無線ＬＡＮモジュール，２４・・・第２表示部，２５・・・脈拍センサ，２６・・・地磁気センサ，２７・・・加速度センサ，２８・・・ジャイロセンサ，２９・・・照度センサ，３０・・・第２入力部，３１・・・ＧＰＳアンテナ，３２・・・ＧＰＳモジュール，４１・・・リムーバブルメディア，ＣＧ・・・カバーガラス，ＢＳ・・・黒色シート，ＭＢ・・・メイン基板，Ｈ・・・貫通穴，５１・・・照度情報取得部，５２・・・操作判定部，５３・・・輝度制御部，６１・・・センサ情報取得部，６２・・・透過率制御部
【図１】
2019113815.tif 000003
【図２】
2019113815.tif 000004
【図３Ａ】
2019113815.tif 000005
【図３Ｂ】
2019113815.tif 000006
【図４】
2019113815.tif 000007
【図５】
2019113815.tif 000008
【図６】
2019113815.tif 000009
【図７】
2019113815.tif 000010